(57)【特許請求の範囲】
【請求項１】
天板に脚部を連結してテーブルをなす天板構造であって、
前記天板は天板本体と、前記天板本体の裏面側に金属製で長尺の補強材を装着すると共に前記補強材を挟持して被覆し前記天板本体の裏面側と接続されるカバー体とを備え、
前記カバー体は前記脚部が着脱自在な脚連結部を備えることを特徴とする天板構造。
【請求項２】
前記補強材は前記天板本体の裏面側と前記カバー体との間に遊嵌したことを特徴とする請求項１に記載の天板構造。
【請求項３】
前記補強材は長手方向に水平な水平片と前記水平片から立設する垂直片とを有し、
前記天板本体の裏面側には前記垂直片を挿入自在で前記垂直片よりも長い垂直片挿入溝を形成し、
前記カバー体の一側面には前記水平片を挿入自在で前記水平片よりも長い水平片挿入溝を形成すると共に他側面の両端縁部には前記脚連結部を備えることを特徴とする請求項１または請求項２に記載の天板構造。
【請求項４】
前記補強材は断面視略逆Ｔ字状に形成したことを特徴とする請求項３に記載の天板構造。
【請求項５】
前記カバー体の前記他側面には傾斜面を形成し、前記脚連結部を前記傾斜面に形成したことを特徴とする請求項３または請求項４に記載の天板構造。
【請求項６】
前記カバー体の中央部近傍には、ボルトが挿貫される接続基準孔を穿設し、前記カバー体を前記天板本体の裏面側と前記ボルトを介して接続し、
前記カバー体の前記脚連結部の周縁には前記カバー体の長手方向に長孔としボルトが挿貫される変位許容孔を複数穿設し、前記天板本体の裏面側と前記カバー体を前記ボルトを介して接続したことを特徴とする請求項１乃至５のいずれか１項に記載の天板構造。
【請求項７】
請求項１〜６のいずれか１項に記載の天板構造と、前記脚連結部に連結された脚部とを備えたことを特徴とするテーブル。
【発明の詳細な説明】
【技術分野】
【０００１】
本発明は、天板の反りを防止する天板構造及び該天板構造を備えたテーブルに関するものである。
【背景技術】
【０００２】
従来より、一枚板や集成材等で構成された木製テーブルにおいては温度や湿度等の環境による影響によって天板が反ってしまうという問題があった。これは一枚板であれば切り出し方向と年輪の方向との関係であったり、複数の板材で構成された集成材であれば個々の板材の膨張・収縮率の違いが原因の一つとなっている。
【０００３】
特に、一枚板で構成された大型の天板においては、反りを防止するために天板の裏面側に角柱状の木を沿わせて補強しても、一枚板の天板の反り強度は非常に高いため反りを防止するまでには至らないことが知られている。
【０００４】
そこで、例えば特許文献１に記載のように天板の裏面側に金属製で長尺の補強材をボルトにより螺着して天板の反り防止を図った天板の補強構造が開示されている。
【先行技術文献】
【特許文献】
【０００５】
【特許文献１】特開２００４−２２２９１０号公報
【発明の概要】
【発明が解決しようとする課題】
【０００６】
確かに、特許文献１に係る天板の補強構造は、比較的簡易な方法で天板の反りを防止できる点で一定の効果を奏していた。
【０００７】
しかしながら、金属製の補強材は天板の裏面側に露出しており、意匠的に煩雑で、更に経年変化により錆が発生しやすく、しかも、錆は椅子に着座した使用者の膝や太股と接触して衣服を汚す等の問題を有していた。
【０００８】
また、補強材はボルトを介して天板と接続しているため、天板の膨張時や収縮時に非常に大きな応力がこの接続部分に生じることで経年的にボルト孔の肥大化が進みボルトが脱落したり、接続部分を起点として天板の割れやひびが発生するといった問題を有していた。
【０００９】
この発明は、天板の反り防止のために装着する補強材の錆の発生を防止すると共に、天板の膨張時や収縮時でも補強材が天板を損傷させることがなく、しかも、意匠的に優れた天板構造及びテーブルを提供することにある。
【課題を解決するための手段】
【００１０】
以上のような目的を達成するために、本発明は以下のようなものを提供する。
【００１１】
請求項１に係る発明では、天板に脚部を連結してテーブルをなす天板構造であって、前記天板は天板本体と、前記天板本体の裏面側に金属製で長尺の補強材を装着すると共に前記補強材を挟持して被覆し前記天板本体の裏面側と接続されるカバー体とを備え、前記カバー体は前記脚部が着脱自在な脚連結部を備えることを特徴とする天板構造を提供せんとする。
【００１２】
請求項２に係る発明では、前記補強材は前記天板本体の裏面側と前記カバー体との間に遊嵌したことを特徴とする請求項１に記載の天板構造を提供せんとする。
【００１３】
請求項３に係る発明では、前記補強材は長手方向に水平な水平片と前記水平片から立設する垂直片とを有し、前記天板本体の裏面側には前記垂直片を挿入自在で前記垂直片よりも長い垂直片挿入溝を形成し、前記カバー体の一側面には前記水平片を挿入自在で前記水平片よりも長い水平片挿入溝を形成すると共に他側面の両端縁部には前記脚連結部を備えることを特徴とする請求項１または請求項２に記載の天板構造を提供せんとする。
【００１４】
請求項４に係る発明では、前記補強材は断面視略逆Ｔ字状に形成したことを特徴とする請求項３に記載の天板構造を提供せんとする。
【００１５】
請求項５に係る発明では、前記カバー体の前記他側面には傾斜面を形成し、前記脚連結部を前記傾斜面に形成したことを特徴とする請求項３または請求項４に記載の天板構造を提供せんとする。
【００１６】
請求項６に係る発明では、前記カバー体の中央部近傍には、ボルトが挿貫される接続基準孔を穿設し、前記カバー体を前記天板本体の裏面側と前記ボルトを介して接続し、前記カバー体の前記脚連結部の周縁には前記カバー体の長手方向に長孔としボルトが挿貫される変位許容孔を複数穿設し、前記天板本体の裏面側と前記カバー体を前記ボルトを介して接続したことを特徴とする請求項１乃至５のいずれか１項に記載の天板構造を提供せんとする。
【００１７】
請求項７に係る発明では、請求項１〜６のいずれか１項に記載の天板構造と、前記脚連結部に連結された脚部とを備えたことを特徴とするテーブルを提供せんとする。
【発明の効果】
【００１８】
請求項１記載の発明によれば、天板は天板本体と、天板本体の裏面側に金属製で長尺の補強材を装着すると共に補強材を挟持して被覆し天板本体の裏面側と接続されるカバー体とを備え、カバー体は脚部が着脱自在な脚連結部を備えることにより、補強材が天板本体とカバー体との間で略密閉され補強材の錆の発生を防止でき、しかも、万一錆が発生しても錆は天板の外部に露出せず、椅子に着座した使用者の衣服を錆で汚すことはない。
【００１９】
また、カバー体は補強材を被覆するばかりでなく脚部を装着する脚連結部も備えているため天板本体裏面の外観をシンプルに構成することができ、意匠的に優れた天板構造を提供することができる。
【００２０】
請求項２記載の発明によれば、補強材は天板本体の裏面側とカバー体との間に遊嵌したことにより、補強材が天板本体やカバー体と完全には固定されないので、天板本体が膨張や収縮をしても補強材が天板本体やカバー体に追従せず天板本体やカバー体に不要な負荷を与えることなく天板本体の反りに対してのみ的確に効果を発揮することができる。
【００２１】
請求項３記載の発明によれば、補強材は長手方向に水平な水平片と水平片から立設する垂直片とを有し、天板本体の裏面側には垂直片を挿入自在で垂直片よりも長い垂直片挿入溝を形成し、カバー体の一側面には水平片を挿入自在で水平片よりも長い水平片挿入溝を形成すると共に他側面の両端縁部には脚連結部を備えることにより、天板本体が膨張や収縮をしても補強材が天板本体やカバー体に追従せず天板本体やカバー体に不要な負荷を与えることはなく、更に、天板本体の反りを可及的に防止でき、しかも、カバー体の他側面を有効に活用して脚連結部を配設しているため天板裏面の外観をシンプルに構成でき、意匠的にも優れた天板構造を提供することができる。
【００２２】
請求項４記載の発明によれば、補強材は断面視略逆Ｔ字状に形成したことにより、シンプルな形状で天板本体の反りを可及的に防止することができる。
【００２３】
請求項５記載の発明によれば、カバー体の他側面には傾斜面を形成し、脚連結部を傾斜面に形成したことにより、天板に脚部を連結した際に脚部を傾斜させることができる。
【００２４】
請求項６記載の発明によれば、カバー体の中央部近傍には、ボルトが挿貫される接続基準孔を穿設し、カバー体を天板本体の裏面側とボルトを介して接続し、カバー体の脚連結部の周縁にはカバー体の長手方向に長孔としボルトが挿貫される変位許容孔を複数穿設し、天板本体の裏面側とカバー体をボルトを介して接続したことにより、補強材の長手方向に対する天板本体の反りや膨張・収縮の際に、天板本体に追従することなくカバー体の左右を接続基準孔に挿貫したボルトを起点として変位させることができるため、カバー体に不要な負荷が付与されずカバー体や天板本体の損傷を防止できると共に、接続基準孔や変位許容孔の経年的な肥大化を阻止してボルトの脱落を防止することができる。
【００２５】
請求項７記載の発明によれば、上述した天板構造と、脚連結部に連結された脚部とを備えたテーブルとすることにより、天板の反り防止のために装着する補強材の錆の発生を防止すると共に、天板本体の膨張時や収縮時でも補強材が天板本体を損傷させることがなく、しかも、意匠的に優れたテーブルを提供することができる。
【図面の簡単な説明】
【００２６】
【図１】本発明の実施形態に係る天板構造及びテーブルの斜視透視図である。
【図２】同天板構造及びテーブルの分解斜視図である。
【図３】同天板構造及びテーブルの一部を透視図とした短辺側側面図である。
【図４】同天板構造及びテーブルの一部を透視図とした長辺側側面図である。
【図５】同天板構造及びテーブルの短辺側端縁部を長辺側から見た断面図である。
【図６】同天板構造及びテーブルの脚部を１箇所外した底面図である。
【図７】図６の脚部を１箇所外した底面図の部分拡大図である。
【図８】同天板構造のカバー体部分を示す下方斜視図である。
【図９】（ａ）、（ｂ）は同天板構造及びテーブルの変形例を示す底面図である。
【図１０】（ａ）、（ｂ）は従来のテーブル天板の短辺側の反りを模式的に示す側面図である。
【発明を実施するための形態】
【００２７】
本発明に係る天板構造及びテーブルの要旨は、脚部を連結してテーブルをなす天板であって、天板は天板本体と、前記天板本体の裏面側に金属製で長尺の補強材を装着すると共に補強材を挟持して被覆し天板本体の裏面側と接続されるカバー体を備え、カバー体は脚部が着脱自在な脚連結部を備えることを特徴とする。すなわち、天板の反り防止のために装着する補強材の錆の発生を防止すると共に、天板の膨張時や収縮時でも補強材が天板本体を損傷させることがなく、しかも、意匠的に優れた天板構造及びテーブルの提供を図ろうとするものである。
【００２８】
以下、本発明に係る天板構造及びテーブルの実施形態について図面を参照しながら説明する。また、本説明中において左右同一又は左右対称の構造や部品については、原則として同一の符号を付し、左右何れか一方のみを説明して、他方については説明を適宜省略する。
【００２９】
なお、図１０（ａ）、（ｂ）は天板１００裏面の角部近傍に夫々脚部１０１を有する平面視長方形状の従来のテーブルＸを短辺１９側側面から見た天板１００の短辺１９側の上下方向への反りを模式的に示した図であり、以下に説明する実施形態においても同様に天板１の短辺１９側の反りを便宜上対象として説明している。
【００３０】
[実施形態]
図１〜図８に示すように、天板１は天板本体２と、天板本体２の裏面側に金属製で長尺の補強材３を装着すると共に補強材３を挟持して被覆し天板本体２の裏面側と接続されるカバー体４とを備え、カバー体４は脚部５が着脱自在な脚連結部６を備えている。
【００３１】
また、補強材３は天板本体２の裏面側とカバー体４との間に遊嵌し、補強材３は長手方向に水平な水平片７と水平片７から立設する垂直片８とを有し、天板本体２の裏面側には垂直片８を挿入自在で垂直片８よりも長い垂直片挿入溝９を形成し、カバー体４の一側面１６には水平片７を挿入自在で水平片７よりも長い水平片挿入溝１０を形成すると共に他側面１７の両端縁部には脚連結部６を形成している。なお、本実施形態において補強材３は断面視略逆Ｔ字状に形成している。
【００３２】
また、カバー体４の中央部近傍には、ボルト１１が挿貫される接続基準孔１２を穿設し、カバー体４を天板本体２の裏面側とボルト１１，１１を介して接続し、カバー体４の脚連結部６の周縁にはカバー体４の長手方向に長孔１３としボルト１４が挿貫される変位許容孔１５を複数穿設し、天板本体２の裏面側とカバー体４をボルト１４を介して接続している。
【００３３】
また、カバー体４の他側面１７には傾斜面１８を形成し、脚連結部６を傾斜面１８に形成している。
【００３４】
上述したしたような天板構造Ａ及び該構造Ａを備えたテーブルＢを構成することで、天板１の反り防止のために装着する補強材３の錆の発生を防止すると共に、天板本体２の膨張時や収縮時でも補強材３が天板本体２を損傷させることがなく、しかも、意匠的に優れた天板構造Ａ及びテーブルＢの提供を図ることができる。
【００３５】
次に、本発明に係る天板構造Ａ及びテーブルＢの具体的構造について詳述する。
【００３６】
図１〜図５に示すように、天板本体２は、矩形板状の一枚板で形成し、裏面側の短辺１９近傍に短辺１９と平行な垂直片挿入溝９を形成している。なお、天板本体２の材質は、桜、欅、栃、栓、タモ等の木目や色調が意匠的に優れた材質を使用しているが、その他の材質であったり集成材やパーティクルボード等の構成材であってもよい。
【００３７】
図２、図５に示すように、垂直片挿入溝９は、補強材３の帯状の垂直片８が挿入可能な矩形長方形状に形成している。また、垂直片挿入溝９は垂直片８の高さＨａよりも深い溝深さＨ１で垂直片８の厚みＷａよりも広い溝幅Ｗ１で、更に、垂直片８の長さＬａよりも長い溝長さＬ１で形成している。
【００３８】
このように垂直片挿入溝９を形成することで、該溝９に挿入された垂直片８は天板本体２の膨張や収縮に追従することなく天板本体２と独立した状態で配設させることができる。
【００３９】
補強材３は、金属製で長尺の断面視略逆Ｔ字状に形成しており、帯状に形成された水平片７の短辺側中央部に、長手方向に沿って帯状の垂直片８を立設している。なお、本実施形態において補強材３は、断面視略Ｌ字状の部材を突き合わせて溶接し断面視略逆Ｔ字状に形成しているが、断面視略逆Ｔ字状とする方法は本実施形態に限定されるものではない。
【００４０】
また、補強材３は垂直片８と水平片７を備えていれば、例えば、断面視略Ｌ字状の部材のみで構成してもよい。
【００４１】
カバー体４は、所定の厚みを有する外観視楕円状に形成しており、一側面１６に水平片挿入溝１０を形成し、他側面１７の両端縁部に脚連結部６，６を形成している。水平片挿入溝１０が形成されたカバー体４の一側面１６は天板本体２の裏面側との当接面となり扁平状に形成され、図２、図５に示すように、水平片挿入溝１０は短辺側中央部に水平片７の長さＬｂよりも長い溝長さＬ２で水平片７の幅員Ｗｂよりも広い溝幅Ｗ２で、更に、水平片７の厚みＨｂと同程度の溝深さＨ２で形成している。
【００４２】
このように水平片挿入溝１０を形成することで、該溝１０に挿入された水平片７は天板本体２の膨張や収縮に追従することなく天板本体２と独立した状態で配設させることができる。
【００４３】
カバー体４の他側面１７に形成された脚連結部６は、図６〜図８に示すように脚連結金具２０と金具埋設孔２１とで構成している。脚連結金具２０は円盤状の金属製のフランジ部２２とナット部２３とで構成しており、フランジ部２２の中央部にナット部２３を接合している。フランジ部２２は中央部に図示しないボルト挿貫孔を穿設し、脚部５の上端部に配設された連結ボルト２６を脚連結金具２０のナット部２３に螺入することで連結ボルト２６の先端部がナット部２３から突出しボルト挿貫孔に達する。また、ボルト挿貫孔の周縁にはボルト挿貫孔の同心円状に均等に離間した金具取付け孔２７を６箇所穿設し、金具取付け孔２７にボルト２８を挿貫しカバー体４に螺入させることで脚連結金具２０をカバー体４と固定している。
【００４４】
金具埋設孔２１は、カバー体４の他側面１７の両端縁部において脚連結金具２０のフランジ部２２の外径と略同径の円状で、フランジ部２２の厚みよりも１ｍｍ程度深い有底円筒状に形成している。なお、本実施形態では金具埋設孔２１に脚連結金具２０を固定するための複数のボルト２８は、木ネジを用いて金具埋設孔２１の底部に木ネジを直に螺入しているが、金具埋設孔２１の底部にボルト２８が螺入可能な雌ネジ孔（図示せず）を螺刻してもよい。
【００４５】
このように脚連結部６を形成することで、脚部５の連結ボルト２６を脚連結金具２０のナット部２３に螺合させ、脚部５の上端面２９が金具埋設孔２１周縁と当接するまで螺着すれば天板１に脚部５を一体に連結することができる。
【００４６】
また、本実施形態では脚連結部６が形成されるカバー体４の他側面１７の両端部に傾斜面１８を形成し、脚連結部６を傾斜面１８に形成している。
【００４７】
傾斜面１８は、平面視でカバー体４の長手方向に対して脚部５の軸線が略４５°の方向で外側に向かい、側面視で略４°の傾斜に形成している。このような傾斜面１８に対して脚連結部６を傾斜面１８に沿って形成している。すなわち、カバー体４を天板本体２の裏面に装着し脚部５を連結した際、脚部５は鉛直方向に対して略４°の傾きが付与された状態で外方に拡開するように形成されている。
【００４８】
このようにカバー体４に傾斜面１８を形成して脚部５を拡開させることでテーブルＢとしての安定性や載置される床面への負荷の軽減等を図ることができる。
【００４９】
なお、脚部５を鉛直方向に配設したい場合には、必ずしもカバー体４に傾斜面１８を形成する必要はない。
【００５０】
カバー体４には、図２、図４、図７に示すように、カバー体４を天板本体２に接続するためのボルト１１，１１を挿貫する孔を複数穿設している。具体的には、カバー体４の中央部近傍に２つの接続基準孔１２，１２を穿設し、各脚連結部６，６の周縁に変位許容孔１５を各々４箇所穿設している。
【００５１】
接続基準孔１２はカバー体４の一側面１６に形成された水平片挿入溝１０と干渉しないように水平片挿入溝１０の両側において水平片挿入溝１０を介して対峙して形成している。すなわち、カバー体４の中央部近傍で長辺側縁部近傍にカバー体４の一側面１６から他側面１７に貫通するように穿設している。
【００５２】
また、接続基準孔１２にボルト１１を挿貫しボルト１１を天板本体２の裏面に螺入させることでカバー体４を天板本体２に接続する。また、天板本体２の膨張や収縮を伴う天板本体２の反りが発生した際、接続基準孔１２に挿貫されたボルト１１位置は、後述する変位許容孔１５により天板本体２とカバー体４との位置関係が変動しない固定点Ｚとなるように構成している。
【００５３】
なお、本実施形態では天板本体２に接続基準孔１２を介してカバー体４を接続するためのボルト１１は、木ネジを用いてカバー体４の裏面に木ネジを直に螺入しているが、天板本体２の裏面にボルト１１が螺入可能な雌ネジ孔（図示せず）を螺刻してもよい。
【００５４】
変位許容孔１５は、図２〜図４、図７に示すようにカバー体４の他側面１７に脚連結部６，６に近接してカバー体４の長手方向に長孔１３として穿設している。具体的には、１つの脚連結部６の周縁に４箇所離間して穿設された変位許容孔１５は、カバー体４の一側面１６に形成された水平片挿入溝１０と干渉しないように水平片挿入溝１０の両側に２箇所ずつ分けて水平片挿入溝１０を介して各々対峙して形成している。
【００５５】
変位許容孔１５は、ボルト頭がカバー体４の他側面１７から突出しないように長孔１３に合致した楕円状の座繰り孔３１を形成している。また、変位許容孔１５に挿貫されるボルト１４位置は変位許容孔１５の中央部を基準位置として取り付けられ、天板本体２の膨張や収縮の際にカバー体４も同様に追従せず、反りに対しては柔軟に追従できるように構成している。
【００５６】
従って、天板本体２の膨張や収縮を伴う反りが発生した際、天板本体２の膨張や収縮の起点となる天板本体２の中央部を通るカバー体４の接続基準孔１２に挿貫されたボルト１１位置は、カバー体４と天板本体２との位置関係が変動しない固定点Ｚとなり、代わりに天板本体２の変位に伴い変位許容孔１５に挿貫されたボルト１４位置が変位する。すなわち、固定点Ｚ以外はカバー体４と天板本体２との位置関係を変動させ、カバー体４への負荷を大幅に軽減している。
【００５７】
なお、本実施形態では天板本体２に変位許容孔１５を介してカバー体４を接続するための複数のボルト１４は、木ネジを用いて天板本体２の裏面に木ネジを直に螺入しているが、天板本体２の裏面にボルト１４が螺入可能な雌ネジ孔（図示せず）を螺刻してもよい。
【００５８】
以上のように、天板本体２とカバー体４で挟持された補強材３を備えた天板構造Ａでは、単に天板本体２に膨張や収縮が生じてもカバー体４に負荷がかからず、更に、補強材３が天板本体２とカバー体４との間で遊びを伴って挟持されているため、天板本体２とカバー体４に必要以上の負荷を与えることはない。しかも、天板本体２に反りが生じた際には、補強材３が確実に反りを防止することができる。
【００５９】
このように構成された天板１は、４本の脚部５を連結してテーブルＢをなす。
【００６０】
脚部５は、図６に示すように略逆円錐形状の脚本体部３５と、脚本体部３５の上端部に突設した連結ボルト２６と、下端部に形成した高さ調整部３６と、で構成している。
【００６１】
脚本体部３５は、上端面２９を扁平状に形成してカバー体当接面３７としている。カバー体当接面３７の中央部には連結ボルト装着孔３８を穿設し、該孔３８の底部に連結ボルト２６を螺入すると共にナット３９により増し締めして脚本体部３５と固定している。
【００６２】
また、連結ボルト装着孔３８は下部側を円状に穿設し上部側を下部側の円状の開口よりも大きな開口の正方形状に穿設して２段開口としている。この２つの開口は少なくともカバー体４の脚連結金具２０に形成されたナット部２３の外形よりも大きな開口とし、連結ボルト２６と該ナット部２３との螺着により連結ボルト装着孔３８内部に該ナット部２３が負荷なく挿入できるように形成している。
【００６３】
脚部５の下端部に配設された高さ調整部３６は、脚本体部３５の下端部に配設した図示しない金属製の調整基部と、床面と当接する設置ベース部４０とで構成しており、調整基部には中央部に雌ネジ孔（図示せず）を螺刻し、設置ベース部４０の中央部に立設した雄ネジ部（図示せず）を螺合させて設置ベース部４０を上下に進退操作自在としている。従って、高さ調整部３６により脚部５の長さを調整すれば、他の脚部５とのバランスが取れた安定したテーブルＢとして使用することができる。
【００６４】
また、天板構造Ａ及びテーブルＢについては、図９（ａ）、（ｂ）に示すような変形例を採用することもできる。
【００６５】
変形例に係る天板構造Ａ´は、カバー体４に脚連結部６を備えていないカバー体４´の構造を採用したものである。このようなカバー体４´は、図９（ａ）に示すように、天板本体２の裏面側において長手方向の中央部に該カバー体４´を配設し、脚連結部６を備えたカバー体４と共に用いることで、特に長尺の天板１の短辺１９側の反りを補助的に防止することができる天板構造Ａ´及びテーブルＢ´をなすことができる。なお、このようなカバー体４´においては、傾斜面１８を形成する必要はない。
【００６６】
また、図９（ｂ）に示すように、天板本体２の両端縁部にこの変形例に係るカバー体４´，４´を配設し、該カバー体４´の内側に脚部構成体４１，４１を配置して天板本体２を該脚部構成体４１，４１に載置する形で使用することもできる。
【００６７】
脚部構成体４１は、垂直に配設した４本の脚部５´と、各隣接する脚部５´を水平方向で介設した４本の横桟４２を上下に離間して合計８本の横桟４２を介設することで略矩形格子枠状に形成している。このような天板構造Ａ´´及びテーブルＢ´´により、天板１と独立した脚部構成体４１を採用することができ、意匠的にも優れたテーブルＢ´´を提供することができる。
【００６８】
なお、脚部構成体４１の構造は本変形例に限定されるものではなく、天板１を安定して載置できる構造のものであればよい。
【００６９】
以上、説明したように本実施形態に係る天板構造Ａ及びテーブルＢは構成されており、天板１は天板本体２と、天板本体２の裏面側に金属製で長尺の補強材３を装着すると共に補強材３を挟持して被覆し天板本体２の裏面側と接続されるカバー体４とを備え、カバー体４は脚部５が着脱自在な脚連結部６を備えることにより、補強材３が天板本体２とカバー体４との間で略密閉され補強材３の錆の発生を防止でき、しかも、万一錆が発生しても錆は天板１の外部に露出せず、椅子に着座した使用者の衣服を錆で汚すことはない。
【００７０】
また、カバー体４は補強材３を被覆するばかりでなく脚部５を装着する脚連結部６も備えているため天板本体２裏面の外観をシンプルに構成することができ、意匠的に優れた天板構造Ａを提供することができる。
【００７１】
また、補強材３は天板本体２の裏面側とカバー体４との間に遊嵌したことにより、補強材３が天板本体２やカバー体４と固定されないので、天板本体２が膨張や収縮をしても補強材３が天板本体２やカバー体４に追従せず天板本体２やカバー体４に不要な負荷を与えることなく天板本体２の反りに対してのみ的確に効果を発揮することができる。
【００７２】
また、補強材３は長手方向に水平な水平片７と水平片７から立設する垂直片８とを有し、天板本体２の裏面側には垂直片８を挿入自在で垂直片８よりも長い垂直片挿入溝９を形成し、カバー体４の一側面１６には水平片７を挿入自在で水平片７よりも長い水平片挿入溝１０を形成すると共に他側面１７の両端縁部には脚連結部６を備えることにより、天板本体２が膨張や収縮をしても補強材３が天板本体２やカバー体４に追従せず天板本体２やカバー体４に不要な負荷を与えることはなく、更に、天板本体２の垂直方向と水平方向の反りを可及的に防止でき、しかも、カバー体４の他側面１７を有効に活用して脚連結部６を配設しているため天板１裏面の外観をシンプルに構成でき、意匠的にも優れた天板構造Ａを提供することができる。
【００７３】
また、補強材３は断面視略逆Ｔ字状に形成したことにより、シンプルな形状で天板本体２の垂直方向と水平方向の反りを可及的に防止することができる。
【００７４】
また、カバー体４の中央部近傍には、ボルト１１が挿貫される接続基準孔１２を穿設し、カバー体４を天板本体２の裏面側とボルト１１を介して接続し、カバー体４の脚連結部６の周縁にはカバー体４の長手方向に長孔１３としボルト１４が挿貫される変位許容孔１５を複数穿設し、天板本体２の裏面側とカバー体４をボルト１４を介して接続したことにより、補強材３の長手方向に対する天板本体２の反りや膨張・収縮の際に、天板本体２に追従することなくカバー体４の左右を接続基準孔１２に挿貫したボルト１１を起点として変位させることができるため、カバー体４に不要な負荷が付与されずカバー体４や天板本体２の損傷を防止できると共に、経年的な接続基準孔１２や変位許容孔１５の肥大化を阻止してボルト１１，１４の脱落を防止することができる。
【００７５】
また、カバー体４の他側面１７には傾斜面１８を形成し、脚連結部６を傾斜面１８に形成したことにより、天板１に脚部５を連結した際に脚部５を傾斜させることができる。
【００７６】
更に、上述した天板構造Ａと、脚連結部６に連結された脚部５とを備えたテーブルＢとすることにより、天板１の反り防止のために装着する補強材３の錆の発生を防止すると共に、天板本体２の膨張時や収縮時でも補強材３が天板本体２を損傷させることがなく、しかも、意匠的に優れたテーブルＢを提供することができる。
【００７７】
以上、本発明の好ましい実施形態を説明したが、本発明は係る特定の実施形態に限定されるものではなく、特許請求の範囲に記載された本発明の要旨の範囲内において、種々の変形・変更が可能である。
【符号の説明】
【００７８】
Ａ  天板構造
Ｂ  テーブル
１  天板
２  天板本体
３  補強材
４  カバー体
５  脚部
６  脚連結部
７  水平片
８  垂直片
９  垂直片挿入溝
１０  水平片挿入溝
１１  ボルト
１２  接続基準孔
１３  長孔
１４  ボルト
１５  変位許容孔
１６  一側面
１７  他側面
１８  傾斜面
【要約】
【課題】天板の反り防止のために装着する補強材の錆の発生を防止すると共に、天板の膨張時や収縮時でも補強材が天板を損傷させることがなく、しかも、意匠的に優れた天板構造及びテーブルを提供する。
【解決手段】本発明に係る天板構造は、天板に脚部を連結してテーブルをなす天板構造であって、前記天板は裏面側に金属製で長尺の補強材を装着すると共に前記補強材を挟持して被覆し前記天板の裏面側と接続されるカバー体とを備え、前記カバー体は前記脚部が着脱自在な脚連結部を備えることを特徴とする。
【選択図】図１【図１】
0005827437.tif 000002
【図２】
0005827437.tif 000003
【図３】
0005827437.tif 000004
【図４】
0005827437.tif 000005
【図５】
0005827437.tif 000006
【図６】
0005827437.tif 000007
【図７】
0005827437.tif 000008
【図８】
0005827437.tif 000009
【図９】
0005827437.tif 000010
【図１０】
0005827437.tif 000011